【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
ガス発生源からの窒素酸化物，一酸化炭素および酸素を含むガス中の窒素酸化物，一酸化炭素および酸素の濃度比Ｋを基準所定濃度比に調整する濃度比調整ステップと、
前記ガスとの接触により、酸素により一酸化炭素を酸化し、一酸化炭素により窒素酸化物を還元するとともに、一次側の前記濃度比Ｋを前記基準所定濃度比としたとき二次側の窒素酸化物濃度および一酸化炭素濃度を実質的に零とする特性の酸化触媒を利用して、窒素酸化物を低減する有害物質低減ステップとを含む燃焼方法であって、
前記濃度比調整ステップは、前記酸化触媒二次側の酸素濃度を検出して、検出酸素濃度が実質的に零近傍の設定酸素濃度となるように、前記濃度比Ｋを次式（１）および（２）を満たす前記基準所定濃度比に制御することを特徴とする燃焼方法。
（［ＮＯｘ］＋２［Ｏ２］）／［ＣＯ］＝Ｋ      …（１）
Ｋ≦２．０                     …（２）
（式（１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項２】
前記濃度比調整ステップは、前記酸化触媒二次側の酸素濃度および一酸化炭素濃度を検出して、検出酸素濃度が実質的に零近傍の設定酸素濃度となるように、前記濃度比Ｋを次式（３）および（４）を満たす前記基準所定濃度比に制御することを特徴とする請求項１に記載の燃焼方法。
（［ＮＯｘ］＋２［Ｏ２］）／［ＣＯ］＝Ｋ      …（３）
Ｋ≦２．０                     …（４）
（式（３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項３】
ガス発生源からの窒素酸化物，一酸化炭素および酸素を含むガス中の窒素酸化物，一酸化炭素および酸素の濃度比Ｋを基準所定濃度比に調整する濃度比調整手段と、
前記ガスとの接触により、酸素により一酸化炭素を酸化し、一酸化炭素により窒素酸化物を還元するとともに、一次側の前記濃度比Ｋを前記基準所定濃度比としたとき二次側の窒素酸化物濃度および一酸化炭素濃度を実質的に零とする特性を有する酸化触媒とを備える燃焼装置であって、
前記酸化触媒二次側の酸素濃度を検出するセンサを備え、
前記濃度比調整手段は、前記センサによる検出酸素濃度が実質的に零近傍の設定酸素濃度となるように、前記濃度比Ｋを次式（５）および（６）を満たす前記基準所定濃度比に
制御することを特徴とする燃焼装置。
（［ＮＯｘ］＋２［Ｏ２］）／［ＣＯ］＝Ｋ      …（５）
Ｋ≦２．０                     …（６）
（式（５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【請求項４】
前記センサは、前記酸化触媒二次側の酸素濃度および一酸化炭素濃度を検出するセンサとし、
前記濃度比調整手段は、前記センサによる検出酸素濃度が実質的に零近傍の設定酸素濃度となるように、前記濃度比Ｋを次式（７）および（８）を満たす前記基準所定濃度比に制御することを特徴とする請求項３に記載の燃焼装置。
（［ＮＯｘ］＋２［Ｏ２］）／［ＣＯ］＝Ｋ      …（７）
Ｋ≦２．０                     …（８）
（式（７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正２】
【補正対象書類名】明細書
【補正対象項目名】００２１
【補正方法】変更
【補正の内容】
【００２１】
請求項１に記載の発明は、ガス発生源からの窒素酸化物，一酸化炭素および酸素を含むガス中の窒素酸化物，一酸化炭素および酸素の濃度比Ｋを基準所定濃度比に調整する濃度比調整ステップと、前記ガスとの接触により、酸素により一酸化炭素を酸化し、一酸化炭素により窒素酸化物を還元するとともに、一次側の前記濃度比Ｋを前記基準所定濃度比としたとき二次側の窒素酸化物濃度および一酸化炭素濃度を実質的に零とする特性の酸化触媒を利用して、窒素酸化物を低減する有害物質低減ステップとを含む燃焼方法であって、前記濃度比調整ステップは、前記酸化触媒二次側の酸素濃度を検出して、検出酸素濃度が実質的に零近傍の設定酸素濃度となるように、前記濃度比Ｋを次式（１）および（２）を満たす前記基準所定濃度比に制御することを特徴としている。
（［ＮＯｘ］＋２［Ｏ２］）／［ＣＯ］＝Ｋ      …（１）
Ｋ≦２．０                     …（２）
（式（１）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
ここで、「検出酸素濃度が実質的に零近傍」とは、前記酸化触媒二次側の窒素酸化物濃度および一酸化炭素濃度を実質的に零とする酸素濃度のみならず、前記酸化触媒二次側の窒素酸化物濃度および一酸化炭素濃度を所定値以下とする酸素濃度を含んでいる。
【手続補正３】
【補正対象書類名】明細書
【補正対象項目名】００２３
【補正方法】変更
【補正の内容】
【００２３】
請求項１に記載の発明によれば、前記濃度比調整ステップにより、前記ガスの濃度比Ｋを前記基準所定濃度比とすることにより前記酸化触媒を用いて前記酸化触媒二次側の窒素酸化物濃度を実質的に零または所定値以下に、一酸化炭素濃度を実質的に零または所定値以下に低減することができる。また、前記酸化触媒一次側のガス中に酸素を含ませること
により、前記基準所定濃度比の一定制御を酸素濃度の検出により行うことができるという効果を奏する。因みに、前記特許文献７のように、酸化触媒の一次側のガスを無酸素状態とする技術では、酸素濃度を検出して濃度比調整を行うことはできない。
【手続補正４】
【補正対象書類名】明細書
【補正対象項目名】００２４
【補正方法】変更
【補正の内容】
【００２４】
請求項２に記載の発明は、請求項１において、前記濃度比調整ステップは、前記酸化触媒二次側の酸素濃度および一酸化炭素濃度を検出して、検出酸素濃度が実質的に零近傍の設定酸素濃度となるように、前記濃度比Ｋを次式（３）および（４）を満たす前記基準所定濃度比に制御することを特徴としている。
（［ＮＯｘ］＋２［Ｏ２］）／［ＣＯ］＝Ｋ      …（３）
Ｋ≦２．０                     …（４）
（式（３）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正５】
【補正対象書類名】明細書
【補正対象項目名】００２５
【補正方法】変更
【補正の内容】
【００２５】
請求項２に記載の発明によれば、前記酸化触媒は、前記特性から、前記濃度比Ｋが丁度前記基準所定濃度となると、二次側の酸素濃度を実質的に零とすることができるが、前記濃度比Ｋが、前記基準所定濃度を上下すると、前記酸化触媒の二次側には酸素濃度が零で、一酸化炭素濃度が検出されることになる。このため酸素濃度だけでなく、一酸化炭素濃度も併せて検出することにより、前記酸化触媒二次側の酸素濃度を実質的に零とする制御を容易に行うことができるという効果を奏する。
【手続補正６】
【補正対象書類名】明細書
【補正対象項目名】００２６
【補正方法】変更
【補正の内容】
【００２６】
請求項３に記載の発明は、ガス発生源からの窒素酸化物，一酸化炭素および酸素を含むガス中の窒素酸化物，一酸化炭素および酸素の濃度比Ｋを基準所定濃度比に調整する濃度比調整手段と、前記ガスとの接触により、酸素により一酸化炭素を酸化し、一酸化炭素により窒素酸化物を還元するとともに、一次側の前記濃度比Ｋを前記基準所定濃度比としたとき二次側の窒素酸化物濃度および一酸化炭素濃度を実質的に零とする特性を有する酸化触媒とを備える燃焼装置であって、前記酸化触媒二次側の酸素濃度を検出するセンサを備え、前記濃度比調整手段は、前記センサによる検出酸素濃度が実質的に零近傍の設定酸素濃度となるように、前記濃度比Ｋを次式（５）および（６）を満たす前記基準所定濃度比に制御することを特徴としている。
（［ＮＯｘ］＋２［Ｏ２］）／［ＣＯ］＝Ｋ      …（５）
Ｋ≦２．０                     …（６）
（式（５）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正７】
【補正対象書類名】明細書
【補正対象項目名】００２７
【補正方法】変更
【補正の内容】
【００２７】
請求項３に記載の発明によれば、前記濃度比調整手段により、前記ガスの濃度比Ｋを前記基準所定濃度比とすることにより前記酸化触媒を用いて前記酸化触媒二次側の窒素酸化物濃度を実質的に零または所定値以下に、一酸化炭素濃度を実質的に零または所定値以下に低減することができる。また、前記酸化触媒一次側のガス中に酸素を含ませることにより、前記基準所定濃度比の一定制御を酸素濃度の検出により行うことができ、前記センサにより酸素濃度を検出するので、高分解能で、高応答のセンサとすることができるという効果を奏する。
【手続補正８】
【補正対象書類名】明細書
【補正対象項目名】００２８
【補正方法】変更
【補正の内容】
【００２８】
請求項４に記載の発明は、請求項３において、前記センサは、前記酸化触媒二次側の酸素濃度および一酸化炭素濃度を検出するセンサとし、前記濃度比調整手段は、前記センサによる検出酸素濃度が実質的に零近傍の設定酸素濃度となるように、前記濃度比Ｋを次式（７）および（８）を満たす前記基準所定濃度比に制御することを特徴としている。
（［ＮＯｘ］＋２［Ｏ２］）／［ＣＯ］＝Ｋ      …（７）
Ｋ≦２．０                     …（８）
（式（７）において、［ＣＯ］、［ＮＯｘ］および［Ｏ２］はそれぞれ一酸化炭素濃度、窒素酸化物濃度および酸素濃度を示し、［Ｏ２］＞０の条件を満たす。）
【手続補正９】
【補正対象書類名】明細書
【補正対象項目名】００３０
【補正方法】変更
【補正の内容】
【００３０】
この発明によれば、前記濃度比Ｋを調整することにより、前記酸化触媒を用いて、窒素酸化物および一酸化炭素の排出量を限りなく零に近く低減、または所定値以下に低減できる。また、前記濃度比Ｋを前記基準所定濃度比とする制御を前記酸化触媒二次側の酸素濃度を検出して行うことができ、高分解能で、高応答のセンサを利用することができる。
【手続補正１０】
【補正対象書類名】明細書
【補正対象項目名】００５１
【補正方法】変更
【補正の内容】
【００５１】
前記有害物質低減ステップにおける有害物質の低減作用についてさらに説明する。この低減作用は、つぎのようにして行われると考えられる。前記酸化触媒では、主反応として、一酸化炭素を酸化させる第一反応と窒素酸化物を一酸化炭素により還元させる第二反応とが生じている。そして、前記酸化触媒における反応（触媒反応）において、酸素存在下では、前記第一反応が前記第二反応よりも優位であり、前記第一反応に基づき一酸化炭素は、酸素により消費されて、濃度調整された後、前記第二反応により窒素酸化物を還元する。この説明は、簡略化したものである。実際は、前記第一反応は、前記第二反応と競合反応であるが、一酸化炭素と酸素との反応が酸素存在下において前記第二反応と比較し見かけ上速く起こるため、第一段階で一酸化炭素の酸化（第一反応）が行われ、第二段階で窒素酸化物が還元（第二反応）されると考えられる。
【手続補正１１】
【補正対象書類名】明細書
【補正対象項目名】００７７
【補正方法】変更
【補正の内容】
【００７７】
前記触媒は、前記ガス中に炭化水素が含まれない状態で効率良く前記窒素酸化物を還元する機能を有する触媒で、前記吸熱手段の後流または前記吸熱手段の途中に設けられ、通気性を有する基材に触媒活性物質を担持した構成とし、構造は特定のものに限定されない。前記基材としては、ステンレスなどの金属，セラミックが用いられ、排ガスとの接触面積を広くするような表面処理が施される。触媒活性物質としては、一般的に白金が用いられるが、実施に応じて、白金に代表される貴金属（Ａｇ，Ａｕ，Ｒｈ，Ｒｕ，Ｐｔ，Ｐｄ）または金属酸化物を用いることができる。前記触媒を前記吸熱手段の途中に設ける場合は、複数の水管などの吸熱手段間の隙間に設けるか、前記吸熱手段を基材として、その表面に触媒活性物質を担持した構成とすることができる。